(57)【特許請求の範囲】
【請求項１】
流量計の流入口に接続した複数の給油管にそれぞれポンプと逆止弁を介装し、流量計の流出口に接続した複数の給油管にそれぞれ開閉弁と逆止弁を介装し、各給油管を一本の給油ホースを介して一個の給油ノズルに接続し、前記給油ホース内は複数に区画され、前記給油管は各区画に接続され、
ノズル掛けに設けられたノズルスイッチのオン・オフ信号、流量計に設けられた流量パルス発信器の流量信号、及びハウジングに設けられた油種選択釦の選択信号を入力し、ポンプへの駆動信号、開閉弁への開弁信号、及び給油量表示器への表示信号を出力する、給油制御装置を設け、
給油ノズルをノズル掛けから外し、ノズルスイッチからオン信号が給油制御装置に入力し、油種選択釦からレギュラガソリンを指定すると、給油量表示器に表示されていた前回の給油量の表示が帰零され、開閉弁が開き、ポンプが駆動され、給油ノズルを開くと、レギュラガソリンは、給油管、ポンプ、逆止弁、給油管、流量計、給油管、開閉弁、逆止弁、及び給油ホースを通って給油ノズルから吐出され、流量計のパルス発信器からの流量パルスは給油制御装置へ入力し、演算された給油量は給油量表示器に表示され、
給油ノズルをノズル掛けから外し、油種選択釦でハイオクタンガソリンを指定すれば、給油量表示器に表示されていた前回の給油量の表示が帰零され、開閉弁が開き、ポンプが駆動され、
給油ノズルを開けば、ハイオクタンガソリンは、前記レギュラガソリンと同様の態様で給油ノズルから吐出され、流量計のパルス発信器からの流量パルスは給油制御装置へ入力し、演算された給油量は給油量表示器に表示されることを特徴とする給油装置。
【発明の詳細な説明】
【０００１】
【発明の属する技術分野】
本発明は、自動車へ燃料油を供給する給油装置に関するものである。
【０００２】
【従来の技術】
自動車の燃料油にはでガソリンと軽油があり、それぞれレギュラとプレミアムがある。このガソリンと軽油が混油されて自動車へ給油されるとエンジントラブルとなるが、レギュラとプレミアムは少量の混油ではエンジントラブルとなることはない。そして、これらの油は別々の貯油タンクに入れられ、ポンプ及び流量計などを介して自動車へ給油されている。この給油装置に使用されている流量計は高度な計量精度が要求され、比較的に大きく高価である。そのために、給油装置は大型で高価なものとなっている。
【０００３】
【発明が解決しようとする課題】
そこで本発明は、小型で安価な給油装置を提供することである。
【０００４】
【課題を解決するための手段】
上記目的を達成するために、本発明は、流量計の流入口に接続した複数の給油管にそれぞれポンプと逆止弁を介装し、流量計の流出口に接続した複数の給油管にそれぞれ開閉弁と逆止弁を介装し、各給油管を一本の給油ホースを介して一個の給油ノズルに接続し、前記給油ホース内は複数に区画され、前記給油管は各区画に接続され、ノズル掛けに設けられたノズルスイッチのオン・オフ信号、流量計に設けられた流量パルス発信器の流量信号、及びハウジングに設けられた油種選択釦の選択信号を入力し、ポンプへの駆動信号、開閉弁への開弁信号、及び給油量表示器への表示信号を出力する、給油制御装置を設け、給油ノズルをノズル掛けから外し、ノズルスイッチからオン信号が給油制御装置に入力し、油種選択釦からレギュラガソリンを指定すると、給油量表示器に表示されていた前回の給油量の表示が帰零され、開閉弁が開き、ポンプが駆動され、給油ノズルを開くと、レギュラガソリンは、給油管、ポンプ、逆止弁、給油管、流量計、給油管、開閉弁、逆止弁、及び給油ホースを通って給油ノズルから吐出され、流量計のパルス発信器からの流量パルスは給油制御装置へ入力し、演算された給油量は給油量表示器に表示され、給油ノズルをノズル掛けから外し、油種選択釦でハイオクタンガソリンを指定すれば、給油量表示器に表示されていた前回の給油量の表示が帰零され、開閉弁が開き、ポンプが駆動され、給油ノズルを開けば、ハイオクタンガソリンは、前記レギュラガソリンと同様の態様で給油ノズルから吐出され、流量計のパルス発信器からの流量パルスは給油制御装置へ入力し、演算された給油量は給油量表示器に表示されることを要旨とするものである。
【０００５】
本発明によれば、流量計の流入口に接続した複数の給油管にそれぞれポンプと逆止弁を介装し、流量計の流出口に接続した複数の給油管にそれぞれ開閉弁と逆止弁を介装し、各給油管を給油ホースを介して一個の給油ノズルに接続した。本発明によれば、このように流量計を共用しているので、小型で安価な給油装置となる。
【０００６】
そして、前記各給油管は一本の給油ホースを介して給油ノズルに接続されているので、給油ホースが邪魔とならずに操作性がよい給油装置となる。
【０００７】
また、前記給油ホース内は複数に区画され、前記給油管は各区画に接続されているので、混油する量が少ない給油装置となる。
【０００８】
【発明の実施の形態】
以下、本発明の実施の形態を説明する。図１に示すように、給油装置のハウジング１内に設けられているポンプ２ａ、２ｂの流入口は給油管３ａ、３ｂを介して貯油タンク４ａ、４ｂに接続されている。ポンプ２ａ、２ｂの流出口は給油管５ａ、５ｂを介して流量計６の流入口に接続され、給油管５ａ、５ｂには逆止弁７ａ、７ｂが介装されている。そして、流量計６の流出口は給油管８ａ、８ｂを介して給油ホース９に接続され、給油管８ａ、８ｂには開閉弁１０ａ、１０ｂ及び逆止弁１１ａ、１１ｂが介装されている。給油ホース９の先端には給油ノズル１２が取り付けられ、この給油ノズル１２のノズル掛け１３にはノズルスイッチ１４が設けられている。
【０００９】
そして、ノズル掛け１３に設けられたノズルスイッチ１４のオンーオフ信号、流量計６に設けられた流量パルス発信器１５の流量信号、及びハウジング１に設けられた油種選択釦１６の選択信号は給油制御装置１７に入力し、ポンプ２ａ、２ｂへの駆動信号、開閉弁１０ａ、１０ｂへの開弁信号、及び給油量表示器１８への表示信号が給油制御装置１７から出力されるようになっている。
【００１０】
次に、図２のフロー図に基づいて動作を説明する。貯油タンク４ａにレギュラガソリンが、貯油タンク４ｂにハイオクタンガソリンが入れられている。そして、給油に来た顧客がレギュラガソリンを所望した場合には、給油ノズル１２をノズル掛け１３から外し、ノズルスイッチ１４からオン信号が給油制御装置１７に入力し（ＳＴ１）、油種選択釦１６からレギュラガソリンを指定すると（ＳＴ２）、給油量表示器１８に表示されていた前回の給油量の表示が帰零され、開閉弁１０ａが開き、ポンプ２ａが駆動される（ＳＴ３）。給油ノズル１２を自動車の給油口へ挿入してノズルバルブを開くと、貯油タンク４ａ内のレギュラガソリンは、給油管３ａ、ポンプ２ａ、逆止弁７ａ、給油管５ａ、流量計６、給油管８ａ、開閉弁１０ａ、逆止弁１１ａ、及び給油ホース９を通って給油ノズル１２から吐出される。
【００１１】
そして、流量計６のパルス発信器１５からの流量パルスは給油制御装置１７へ入力し、演算された給油量は給油量表示器１８に表示される。
【００１２】
所望量の給油が終わり、給油ノズル１２をノズル掛け１３に掛けてノズルスイッチ１４からオフ信号が給油制御装置１７に入力すると（ＳＴ４）、開閉弁１０ａが閉じ、ポンプ２ａの駆動が停止して（ＳＴ５）、全ての給油動作が終わる。
【００１３】
ハイオクタンガソリンを給油する場合は、給油ノズル１２をノズル掛け１３から外し（ＳＴ１）、油種選択釦１６でハイオクタンガソリンを指定する（ＳＴ６）。
これにより、油量表示器１８に表示されていた前回の給油量の表示が帰零され、開閉弁１０ａが開き、ポンプ２ａが駆動される。そして、給油ノズル１２のノズルバルブを開けば、貯油タンク４ｂ内のハイオクタンガソリンは、上述したレギュラガソリンと同様の態様で給油ノズル１２から吐出され、そして、流量計６のパルス発信器１５からの流量パルスは給油制御装置１７へ入力し、演算された給油量は給油量表示器１８に表示される。（ＳＴ７、ＳＴ８、ＳＴ９）。
【００１４】
図３に示すように、給油ホース９の内部を区画９ａ、９ｂとする。そして、給油管８ａを給油ホース９の区画９ａに接続し、給油管８ｂを給油ホース９の区画９ｂに接続する。このようにすることにより、混油される量が少なくて済むようになる。
【００１５】
また、上述した実施の形態では給油装置のハウジング１内にポンプ２ａ、２ｂを設けているが、貯油タンク４ａ、４ｂ内にサブマージブルポンプを設けてもよい。さらに、上述した実施の形態では２油種の例で説明したが、２油種以上の多油種でも同様に実施できる。
【００１６】
【発明の効果】
以上説明したように本発明は、流量計の流入口に接続した複数の給油管にそれぞれポンプを介装し、流量計の流出口に接続した複数の給油管にそれぞれ開閉弁を介装し、各給油管を給油ホースを介して一個の給油ノズルに接続している。このように流量計を共用しているので、小型で安価な給油装置となる。
【図面の簡単な説明】
【図１】  本発明の給油装置の構成図である。
【図２】  給油制御装置のフロー図である。
【図３】  給油ホースの実施の態様を示す断面図である。
【符号の説明】
１  ハウジング
２ａ、２ｂ  ポンプ
３ａ、３ｂ、５ａ、５ｂ、８ａ、８ｂ  給油管
４ａ、４ｂ  貯油タンク
６  流量計
７ａ、７ｂ、１１ａ、１１ｂ  逆止弁
９  給油ホース
９ａ、９ｂ  区画
１０ａ、１０ｂ  開閉弁
１２  給油ノズル
１３  ノズル掛け
１４  ノズルスイッチ
１５  流量パルス発信器
１６  油種選択釦
１７  給油制御装置
１８  給油量表示器
【図１】
0003982729.tif 000002
【図２】
0003982729.tif 000003
【図３】
0003982729.tif 000004